(57)【要約】【課題】取付位置を容易に微調整することができる屋外用感熱自動スイッチを提供する。【解決手段】ハウジング１には、人体から放射される熱線を検知する熱線センサと、熱線センサの出力に応じて電源から負荷への電源供給をオンオフする制御手段とが収納されている。また、施工面Ｓに固定される取付枠２を備え、ハウジング１は取付枠２の前面に取り付けられる。ハウジング１と取付枠２との間には防水部材３が介装される。施工面Ｓにハウジング１を埋め込む場合に比べて、施工面Ｓに設ける穴Ｓ１が小さくて済み、従って、穴Ｓ１を閉塞するハウジング１の位置の自由度が高くなるから、取付位置を容易に微調整することができる。【選択図】        図１
2004259563.tif 000002
【特許請求の範囲】
【請求項１】
人体から放射される熱線を検知する熱線センサと、熱線センサの出力に応じて電源から負荷への電源供給をオンオフする制御手段と、熱線センサと制御手段とが収納されたハウジングと、施工面に固定されて前面にハウジングが取り付けられる取付枠と、ハウジングと施工面との間に介装される防水部材とを備えることを特徴とする屋外用感熱自動スイッチ。
【請求項２】
取付枠には、埋めこみ配線用のボックスに取り付けるための取り付けねじが挿通されるねじ挿通穴が貫設されていることを特徴とする請求項１記載の屋外用感熱自動スイッチ。
【請求項３】
取付枠には、施工面がパネル材で形成されているときにパネル材を取付枠との間で挟み込むための挟み金具が取り付けられる挟み金具取付部が設けられていることを特徴とする請求項１記載の屋外用感熱自動スイッチ。
【請求項４】
取付枠には施工面から引き出された電線を挿通するための電線挿通穴が貫設され、ハウジングの後面であって施工面の法線方向から見て少なくとも電線挿通穴に重なる部位には前方へ窪んだ電線収納凹部が設けられ、電線収納凹部の内側に露出し電線が接続される電線接続端子を備えることを特徴とする請求項１記載の屋外用感熱自動スイッチ。
【請求項５】
取付枠には施工面から引き出された電線を挿通するための電線挿通穴が貫設され、ハウジングの後面の施工面の法線方向から見て電線挿通穴に重なる部位よりも上側に露出し電線が接続される電線接続端子を備えることを特徴とする請求項１記載の屋外用感熱自動スイッチ。
【請求項６】
ハウジングから露出して手動で操作され制御手段の動作を調整するための調整部を有する調整素子が実装された調整回路基板と、電線が接続される電線接続端子が実装された端子回路基板とを備え、調整回路基板は実装面を前側へ向け、端子回路基板は実装面を後側へ向けて、調整素子と電線接続端子とが施工面に沿った方向に並ぶようにそれぞれ配置されていることを特徴とする請求項１記載の屋外用感熱自動スイッチ。
【請求項７】
ハウジングから露出して手動で操作され制御手段の動作を調整するための調整部を有する調整素子と、ハウジングに結合し調整部を覆う位置とハウジングから分離可能な位置との間でスライド可能なカバーとを備えることを特徴とする請求項１記載の屋外用感熱自動スイッチ。
【請求項８】
ハウジングから露出して手動で操作され制御手段の動作を調整するための調整部を有する調整素子と、ハウジングに着脱自在に結合し施工面に露出するハウジングの略全体を覆うカバーとを備えることを特徴とする請求項１記載の屋外用感熱自動スイッチ。
【請求項９】
ハウジングから露出して手動で操作され制御手段の動作を調整するための調整部を有する調整素子と、ハウジングに結合し調整部を覆う位置と調整部を露出させる位置との間でハウジングに対して回動自在としたカバーとを備えることを特徴とする請求項１記載の屋外用感熱自動スイッチ。
【請求項１０】
手動で操作され制御手段の動作を調整するための調整部を有する調整素子が実装された調整回路基板と、電線が接続される電線接続端子が実装された端子回路基板とを備え、ハウジングは、熱線センサが納装されたセンサブロックと、センサブロック及び調整回路基板並びに端子回路基板がそれぞれ結合したベースと、ベースに結合して調整回路基板及び端子回路基板を覆うボディとを有することを特徴とする請求項１記載の屋外用感熱自動スイッチ。
【発明の詳細な説明】
【０００１】
【発明の属する技術分野】
本発明は、屋外に配設され人体から放射される熱線を検知して電源から負荷への電源供給を自動でオンオフする屋外用感熱自動スイッチに関するものである。
【０００２】
【従来の技術】
従来から、この種の屋外用感熱自動スイッチとして、図１２に示すものがある（例えば、特許文献１参照）。この屋外用感熱自動スイッチは、人体から放射される熱線を検知する図示しない熱線センサと、熱線センサの出力に応じて電源から負荷への電源供給をオンオフする図示しない制御手段とを備える。熱線センサと制御手段とはハウジングＨに収納されている。ハウジングＨの前面には検知範囲の熱線を熱線センサに集光するレンズＲが露出している。
【０００３】
従来、この種の屋外用感熱自動スイッチは、壁面等の施工面（図示せず）に埋めこみ配設されていた。すなわち、従来は、熱線センサや制御手段等を収納したハウジングＨの一部を壁面等に設けられた埋めこみ穴（図示せず）に埋め込むようにして配設されていた。
【０００４】
【特許文献１】
特開平４−５５７２８号公報（第２−５頁、第１２図）
【０００５】
【発明が解決しようとする課題】
しかし、上記従来の屋外用感熱自動スイッチは、ハウジングの一部を埋めこみ穴に埋め込むようにしていたため、埋めこみ穴を壁面等に設ける必要があった。
【０００６】
ここで、埋めこみ穴は、ハウジングの形状に合わせた形状（一般には矩形状）とする必要があり、穴の形状を整える作業が必要であった。また、埋めこみ穴は、施工面の法線方向から見たハウジングの大きさに近い程度まで大きく開口させてあったため、埋めこみ穴を閉塞するようなハウジングの位置の自由度が低く、従ってハウジングの取付位置の微調整が難しかった。
【０００７】
本発明は上記事由に鑑みてなされたものであり、その目的は、取付位置を容易に微調整することができる屋外用感熱自動スイッチを提供することにある。
【０００８】
【課題を解決するための手段】
請求項１の発明は、人体から放射される熱線を検知する熱線センサと、熱線センサの出力に応じて電源から負荷への電源供給をオンオフする制御手段と、熱線センサと制御手段とが収納されたハウジングと、施工面に固定されて前面にハウジングが取り付けられる取付枠と、ハウジングと施工面との間に介装される防水部材とを備えることを特徴とする。
【０００９】
請求項２の発明は、請求項１の発明において、取付枠には、埋めこみ配線用のボックスに取り付けるための取り付けねじが挿通されるねじ挿通穴が貫設されていることを特徴とする。
【００１０】
請求項３の発明は、請求項１の発明において、取付枠には、施工面がパネル材で形成されているときにパネル材を取付枠との間で挟み込むための挟み金具が取り付けられる挟み金具取付部が設けられていることを特徴とする。
【００１１】
請求項４の発明は、請求項１の発明において、取付枠には施工面から引き出された電線を挿通するための電線挿通穴が貫設され、ハウジングの後面であって施工面の法線方向から見て少なくとも電線挿通穴に重なる部位には前方へ窪んだ電線収納凹部が設けられ、電線収納凹部の内側に露出し電線が接続される電線接続端子を備えることを特徴とする。
【００１２】
請求項５の発明は、請求項１の発明において、取付枠には施工面から引き出された電線を挿通するための電線挿通穴が貫設され、ハウジングの後面の施工面の法線方向から見て電線挿通穴に重なる部位よりも上側に露出し電線が接続される電線接続端子を備えることを特徴とする。
【００１３】
請求項６の発明は、請求項１の発明において、ハウジングから露出して手動で操作され制御手段の動作を調整するための調整部を有する調整素子が実装された調整回路基板と、電線が接続される電線接続端子が実装された端子回路基板とを備え、調整回路基板は実装面を前側へ向け、端子回路基板は実装面を後側へ向けて、調整素子と電線接続端子とが施工面に沿った方向に並ぶようにそれぞれ配置されていることを特徴とする。
【００１４】
請求項７の発明は、請求項１の発明において、ハウジングから露出して手動で操作され制御手段の動作を調整するための調整部を有する調整素子と、ハウジングに結合し調整部を覆う位置とハウジングから分離可能な位置との間でスライド可能なカバーとを備えることを特徴とする。
【００１５】
請求項８の発明は、請求項１の発明において、ハウジングから露出して手動で操作され制御手段の動作を調整するための調整部を有する調整素子と、ハウジングに着脱自在に結合し施工面に露出するハウジングの略全体を覆うカバーとを備えることを特徴とする。
【００１６】
請求項９の発明は、請求項１の発明において、ハウジングから露出して手動で操作され制御手段の動作を調整するための調整部を有する調整素子と、ハウジングに結合し調整部を覆う位置と調整部を露出させる位置との間でハウジングに対して回動自在としたカバーとを備えることを特徴とする。
【００１７】
請求項１０の発明は、請求項１の発明において、手動で操作され制御手段の動作を調整するための調整部を有する調整素子が実装された調整回路基板と、電線が接続される電線接続端子が実装された端子回路基板とを備え、ハウジングは、熱線センサが納装されたセンサブロックと、センサブロック及び調整回路基板並びに端子回路基板がそれぞれ結合したベースと、ベースに結合して調整回路基板及び端子回路基板を覆うボディとを有することを特徴とする。
【００１８】
【発明の実施の形態】
以下、本発明の実施の形態を図面に基づいて説明する。
【００１９】
本実施形態は、図１に示すように、人体を検知する人感センサＴＰ（図２参照）と人感センサＴＰの出力に応じて電源から負荷への電源供給をオンオフする制御手段とが収納されたハウジング１を備える。人感センサＴＰは、人体から放射される熱線を検知する熱線センサとしての焦電素子と、焦電素子の出力信号を増幅する増幅回路等の信号処理回路とを有する。また、施工面Ｓに固定される取付枠２を備え、ハウジング１は取付枠２の前面に取り付けられる。ハウジング１と施工面Ｓとの間には、雨水の浸入を防ぐための防水部材３が介装される。
【００２０】
以下、施工面Ｓに取り付けられた状態での方向に基づいて詳細な説明を行う。つまり、施工面Ｓから離れる方向を前方と呼び、上下は図１を基準とする。
【００２１】
ハウジング１は、図２に示すように、ハウジング１の後面を構成するベース４と、ベース４の前側に結合するボディ５と、人感センサＴＰが収納されベース４とボディ５との間に位置するセンサブロック６とを備える。
【００２２】
ボディ５は、長方形枠状の枠状部５１と、枠状部５１の前方に突出し下面と後面とが開放された直方体形箱状に形成された突台部５２とを備える。枠状部５１の上下の端部には、取付枠２にハウジング１をねじ止めするためのねじＢ２（図１参照）が挿通する取付ねじ挿通穴５３が前後に貫設されている。また、突台部５２の前面の上端部の左右の両端部には、それぞれベース４にボディ５をねじ止めするためのねじ（図示せず）が挿通する組立ねじ挿通穴５４が前後に貫設されている。
【００２３】
ベース４は、厚み方向が施工面Ｓに直交する平板状の第１の後板４１と、第１の後板４１に平行な平板状であって第１の後板４１よりも上側に位置する第２の後板４２とを有する。第１の後板４１と第２の後板４２との間には、第２の後板４２を第１の後板４１よりも前方へ突出させるように傾斜した傾斜板４３が設けられている。
【００２４】
第２の後板４２の左右には、それぞれ第２の後板４２よりも前後に突出して互いに対向する側壁４５が設けられている。各側壁４５の上端部はそれぞれ第２の後板４２よりも上方に突出している。各側壁４５の第２の後板４２よりも上方に突出した部位の前端部同士は、矩形状の貫通穴４６ａが前後に貫設された枠状部４６を介して連結されている。
【００２５】
枠状部４６の前面の上端部の左右両端部には、それぞれ筒状の結合凸部４７が前方へ突設されている。結合凸部４７の内部には図示しないナットが保持されている。また、第１の後板４１の前面の左右両端部には、それぞれ左右に撓み可能な結合片４４が前方へ突設され、各結合片４４の他方の結合片４４から離れた側の面の先部には、それぞれ結合爪４４ａが突設されている。結合爪４４ａがボディ５の突台部５２の内面に設けられた図示しない結合部に係合し、さらに、ボディ５の組立ねじ挿通穴５４に挿通されたねじが、結合凸部４７に保持されたナットに螺合することによってボディ５とベース４とは結合している。
【００２６】
センサブロック６は、図３に示すように、人感センサＴＰが実装されたセンサ回路基板６１と、センサ回路基板６１が収納される収納凹部６２ａ（図４参照）が設けられた基体６２と、赤外光を透過させる材料からなり収納凹部６２ａの開口を覆うドーム状に形成された窓体６３と、基体６２に結合して基体６２との間に窓体６３を保持する環状体６４とからなる。センサ回路基板６１にはねじ挿通穴６１ａが表裏に貫設され、基体６２の収納凹部６２ａの底面のねじ挿通穴６１ａに対応する位置にはねじ穴６２ｂが設けられていて、ねじ挿通穴６１ａに挿通されねじ穴６２ｂに螺合するタッピンねじＢ３（図４参照）によってセンサ回路基板６１は基体６２にねじ止めされている。環状体６４は大きさの異なる２個の開口を有する環状に形成されている。環状体６４の大きい側の開口付近の内周面に基体６２の収納凹部６２ａの開口付近の外周面が嵌合することにより環状体６４と基体６２とは結合し、窓体６３の凸側の面の中央部は環状体６４の小さい側の開口から突出している。
【００２７】
環状体６４の外側面は、球面を、間に中心を含む互いに平行な２つの断面で切り取った形状に形成されている。そして、人感センサＴＰは、環状体６４の中心軸が人感センサＴＰの検知面の中心に直交するように配置されている。また、窓体６３において、環状体６４に覆われずに露出する部位には、それぞれ異なる検知範囲の赤外光を人感センサＴＰの検知面に集光する複数のレンズを一体化した広角レンズとなっているレンズ部６３ａが形成されている。
【００２８】
また、基体６２の収納凹部６２ａを囲む外周面の、収納凹部６２ａの開口面を挟んだ両側には、それぞれ円柱状の軸突起６２ｃが突設されている。環状体６４の大きい側の開口の周縁には、それぞれ軸突起６２ｃをセンサブロック６の外側に突出させる切欠き６４ａが２箇所に設けられている。
【００２９】
さらに、基体６２の収納凹部６２ａの開口面に沿った外周には、窓体６３及び環状体６４と結合したときに窓体６３及び環状体６４との間に隙間を生じさせる切欠き６２ｄが設けられている。従来は、センサブロック６の部品に貫通穴を設け、センサ回路基板６１に一端が接続されたリード線Ｒを上記の貫通穴を通じて引き出していた。従って、センサブロック６を組み立てる際には、予め一端がセンサ回路基板６１に接続されたリード線Ｒの他端を貫通穴に挿通させる作業が必要であった。一方、本実施形態においては、リード線Ｒの一部を基体６２の切欠き６２ｄに収納しながら組み立てればよく、リード線Ｒの他端を上記のような貫通穴に挿通させる作業が必要ないから組み立てが容易であり、製造コストを低減することができる。また、従来は、リード線Ｒの他端を他の回路基板に接続した後にセンサブロック６を組み立てることができなかったが、本実施形態では、センサ回路基板６１に一端が接続されたリード線Ｒの他端を他の回路基板に接続した後であってもセンサブロック６を組み立てることができる。
【００３０】
センサブロック６は、図２に示す組立枠７を介してベース４に結合される。詳しく説明すると、組立枠７には、センサブロック６が挿入される露出穴７１が上下に貫設されている。露出穴７１の内周面はセンサブロック６の環状部６４の外径と同程度の内径を有する球面形状に形成され、露出穴７１の下側の開口は、人感センサＴＰの中心軸に沿った方向から見たセンサブロック６の外径よりも小さくなっている。センサブロック６は、レンズ部６３ａを露出穴７１の下側に突出させる形で露出穴７１の内周面に支持されている。ここで、露出穴７１の内周面の左右には、軸突起６２ｃが収納される軸受凹部７１ａが２箇所に凹設されていて、センサブロック６は２個の軸突起６２ｃを結ぶ直線を軸として組立枠７に対して向きを変え、検知範囲を前後に振ることが可能となっている。また、アーチ形状の押さえ金具８が、両端を挿通するねじＢ４によって、組立枠７の上面の露出穴７１の開口を挟む位置にねじ止めされている。押さえ金具８の中央部がセンサブロック６の上側に位置することによって、露出穴７１からのセンサブロック６の脱落が防止されている。また、組立枠７の左右の端部には、それぞれ後方へ保持片７２が突設されている。ベース４の第１の後板４１には保持片７２に凹凸係合する保持部４８が設けられていて、組立枠７は、保持片７２と保持部４８との係合によってベース４に結合されている。
【００３１】
ところで、センサ回路基板６１には、人感センサＴＰの他に、周囲の明るさを検知するための例えば光電変換素子からなる明るさセンサも実装されている。制御手段は、例えば、周囲が暗くかつ人体の存在が検知されたとき、負荷としての照明への電源の供給をオンし、その後予め設定された動作継続時間が経過したときに照明への電源の供給をオフする。
【００３２】
制御手段は、２枚の回路基板にそれぞれ実装された電子部品によって実現されている。図２に示すように、一方の回路基板（以下、「調整回路基板９」と呼ぶ）には、それぞれ例えば動作継続時間や、照明をオンする条件となる周囲の明るさや、人感センサＴＰの感度など、制御回路の動作を手動で調整するための３個の可変抵抗器Ｖと、本実施形態自体の動作のオンオフを手動で切り換える切り換えスイッチＳＷとが実装されている。他方の回路基板（以下、「端子回路基板１０」と呼ぶ）には、それぞれ電源や負荷に接続された電線Ｌ（図１参照）が接続される３個の電線接続端子を一体化した端子ブロック１１が実装されている。
【００３３】
調整回路基板９の左右の端には、それぞれ上下方向の中間部に保持切欠き９ａが設けられている。ここで、ベース４の各側壁４５の第２の後板４２の前側に突出した部位には、第２の後板４２の前面に連続するリブ４５ａがそれぞれ突設されていて、調整回路基板９は、実装面を前方へ向けて、保持切欠き９ａにベース４のリブ４５ａが圧入されることによってベース４に保持されている。
【００３４】
また、ボディ５の突台部５２の前面には、それぞれ可変抵抗器ＶのつまみＶ１が挿通する３個のつまみ挿通穴５５と、切り換えスイッチＳＷの操作ハンドルＳＷ１が挿通するハンドル挿通穴５６とが前後に貫設されていて、可変抵抗器ＶのつまみＶ１と切り換えスイッチＳＷの操作ハンドルＳＷ１とはハウジング１の前面から突出している。つまり、可変抵抗器Ｖと切り換えスイッチＳＷとが調整素子であり、つまみＶ１と操作ハンドルＳＷ１とが調整部である。
【００３５】
端子ブロック１１は、後面に３個の端子収納凹部１２ａが左右に並べて凹設された端子台１２を備える。各端子収納凹部１２ａには、金属板からなり端子回路基板１０に実装される端子板１３と、電線Ｌの心線を端子板１３に接触した状態に鎖錠する鎖錠ばね１４とがそれぞれ２個ずつと、絶縁材料からなり２個の鎖錠ばね１４の後側に同時に接触する解除釦１５とがそれぞれ収納されている。端子収納凹部１２ａの底面には、それぞれ電線Ｌの１本の心線が挿通される２個の電線挿通穴１２ｂ（図５参照）と、解除釦１５を介して鎖錠ばね１４を押圧して鎖錠状態を解除するための治具（図示せず）が挿通される解除穴１２ｃ（図５参照）とがそれぞれ前後に貫設されている。また、端子台１２の前面の上端部には、４個のねじ穴１２ｄが左右に並べて設けられている。端子回路基板１０にはねじ穴１２ｄにそれぞれ対応する４個の貫通穴１０ａが貫設されていて、端子台１２は、端子回路基板９に後面を接触させて、それぞれ貫通穴１０ａを貫通しねじ穴１２ｄに螺合する４本のねじ（図示せず）によって端子回路基板９に固定されている。ここにおいて、端子収納凹部１２ａの開口は端子回路基板１２ａによって閉塞されている。
【００３６】
また、端子台１２の左右の側面のそれぞれ後端には、係合凹部１２ｅが凹設されている。ここで、ベース４の枠状部４６の左右には、それぞれ左右に撓み可能な保持片４９が前方へ突設され、各保持片４９の先部には、それぞれ他方の保持片４９に近付く方向に突出した引掛け爪４９ａが突設されている。端子台１２は、後端部がベース４の枠状部４６の貫通穴４６ａに挿通され、係合凹部１２ｅにベース４の引掛け爪４９ａが引っ掛かることによってベース４に結合している。同時に、端子回路基板１０も端子台１２を介してベース４に結合している。端子台１２の後端部がベース４の上端部に設けられた貫通穴４６ａに挿通されていることにより、端子ブロック１１はハウジング１の後面の上端部に露出している。
【００３７】
ここで、端子回路基板１０は実装面を後側に向け、調整回路基板９は実装面を前側へ向けている。また、図４に示すように、各可変抵抗器Ｖ及び切換スイッチＳＷと端子ブロック１１とは施工面Ｓに沿った方向に並んでいる。この構成により、それぞれ比較的に背の高い部品である可変抵抗器Ｖと切換スイッチＳＷと端子ブロック１１とが施工面Ｓからの距離が互いに同程度である位置に配置されているから、調整回路基板９と端子回路基板１０との実装面を互いに同じ方向へ向ける場合に比べて施工面Ｓからのハウジング１の突出寸法が小さくなっている。また、つまみＶ１及び操作ハンドルＳＷ１をハウジング１の前面に露出させるとともに端子ブロック１１をハウジング１の後側に露出させることが可能となっている。
【００３８】
また、調整回路基板９と端子回路基板１０とは互いの実装面を対向させているから、調整回路基板９に実装された電子部品と端子回路基板１０に実装された電子部品とが同じ空間に収納され、調整回路基板９と端子回路基板１０との実装面を互いに同じ方向へ向ける場合に比べてハウジング１の内部の空間が有効に利用されるから、ハウジング１の小型化が可能となっている。
【００３９】
また、センサブロック６と調整回路基板９と端子回路基板１０とが全てベースに結合されていることにより、センサブロック６と調整回路基板９と端子回路基板１０とがベース４とボディ５とに分散して結合される場合に比べて組み立てが容易となっており、製造コストを低減することができる。
【００４０】
防水部材３は、図５に示すように、電線挿通穴３１が前後に貫設された長方形枠状に形成されている。防水部材３の上下の端部には、それぞれ貫通穴３２が前後に貫設されている。ここで、ボディ５の後面の取付ねじ挿通穴５３の周囲には円筒状の突部５３ａが突設されていて、この突部５３ａが貫通穴３２に挿通している。また、防水部材３の裏面には、電線Ｌの被覆を剥く際の心線の適切な長さを示すストリップゲージ３３が設けられている。図６に示すように、防水部材３の前面の周縁部には、結合溝３４が全周に亙って設けられている。ここで、ボディ５の枠状部５１の後面の４隅付近には、結合片５７がそれぞれ突設されていて、ボディ５の結合片５７がそれぞれ結合溝３４に圧入されることによってハウジング１と防水部材３とは結合している。ここにおいて、端子ブロック１１の後端部は電線挿通穴３１から露出する。
【００４１】
本実施形態はまた、図１に示すように、つまみ挿通穴５５及びハンドル挿通穴５６から雨水や埃がハウジング１の内部に浸入することを防ぐためのカバー１６を備える。カバー１６は、ボディ５の突台部５２を略覆う程度の大きさの直方体形の箱体の後面と下面とが開放された形状に形成されている。ここで、突台部５２の左右の外側面の後端には、前後に隙間を空けて並んで上下に延びた各２本のガイド片５８がそれぞれ突設されている。カバー１６の左右の内面の後端部には、前後の幅寸法が２本のガイド片５８の間の隙間の幅寸法程度である図示しないガイド突起が突設されている。
【００４２】
カバー１６をボディ５に装着するには、カバー１６の左右のガイド突起をそれぞれガイド片５８の間に差し込むようにして、カバー１６をボディ５に対して下方に移動させる。すると、切り換えスイッチＳＷの操作ハンドルＳＷ１と可変抵抗器ＶのつまみＶ１とがカバー１６に覆われる位置までカバー１６をスライドさせることができる。つまり、ガイド突起がガイド片５８に挟まれることにより、カバー１６はボディ５に保持されるとともにボディ５に対して上下にスライド可能に案内される。逆に、カバー１６をボディ５から取り外すには、カバー１６をボディ５に対して上方へスライドさせればカバー１６はボディ５から取り外される。つまり、工具を用いずにカバー１６を着脱することができる。従って、カバー１６の着脱用の工具によってハウジング１やカバー１６を傷つけるおそれがない。
【００４３】
取付枠２は、電線挿通穴２１が前後に貫設された矩形枠状に形成されている。電線挿通穴２１の上下には、それぞれ取付枠２を施工面Ｓにねじ止めするためのねじＢ１が挿通される長円形の施工ねじ挿通穴２２が前後に貫設されている。また、上側の施工ねじ挿通穴２２の上側と、下側の施工ねじ挿通穴２２の下側とには、それぞれ取付ねじ挿通穴２３が貫設されている。図７に示すように、各取付ねじ挿通穴２３の内部には、それぞれナットＮが保持されている。
【００４４】
本実施形態のハウジング１に防水部材３を結合したものを施工面Ｓに取り付けるには、まず、施工ねじ挿通穴２２を挿通したねじＢ１を施工面Ｓに螺合させることによって取付枠２を施工面Ｓに固定する。次に、施工面Ｓに設けた穴Ｓ１から取付枠２の電線挿通穴２１を通じて引き出した電線Ｌの心線を、防水部材３の電線挿通穴３１を通して端子ブロック１１の電線挿入穴１２ｂに挿入する。その後、ボディ５の取付ねじ挿通穴５３を挿通したねじＢ２をナットＮに螺合させることによって、ハウジング１を取付枠２に固定する。ここにおいて、施工面Ｓの法線方向から見て電線挿通穴２１とベース４の第２の後板４２とは一部が互いに重なる。
【００４５】
ここで、防水部材３の後面の周縁部には２重の突片３５が後方へ突設されていて、ハウジング１が取付枠２に取り付けられた状態において、突片３５の後端は施工面Ｓに密着し、取付枠２は防水部材３の突片３５に囲まれた位置に収納される。また、取付枠２の下端には位置決め突起２５が下方へ延設され、防水部材３の突片３５には位置決め突起２５を避ける位置決め切欠き３５ａが設けられている。位置決め切欠き３５ａの位置と位置決め突起２５の位置とを合わせなければ防水部材３を施工面Ｓに密着させることができないから、取付枠２にハウジング１を取り付ける際に上下を間違えることが防止される。
【００４６】
また、端子ブロック１１の電線挿入穴１２ｂが取付枠２の電線挿通穴２１よりも上側に位置するようにしてある。この構成により、電線Ｌは施工面Ｓ側から端子ブロック１１側にかけて上昇するように傾斜する。従って、防水部材３と施工面Ｓとの間に隙間が生じてそこから雨水が浸入したとしても、雨水が電線Ｌを伝ってハウジング１の内部に浸入することがない。
【００４７】
さらに、ベース４の第２の後板４２を第１の後板４１よりも前方へ突出させてあることにより、ハウジング１の後面において、第２の後板４２と端子ブロック１１との後側、すなわち施工面Ｓの法線方向から見て取付枠２の電線挿通穴２１に重なる部位とその上側とを含む部位には前方へ窪んだ電線収納凹部が形成されている。従って、施工面Ｓから電線Ｌを長めに引き出しても、余った電線Ｌを電線収納凹部に収納することができるから、配線作業が容易になる。ここで、端子ブロック１１に接続する電線Ｌとして例えば断面が長円形であって断面の短手方向の幅寸法が６．５ｍｍであるＶＶＦ２心ケーブルを３本用いる場合、電線収納凹部の深さ寸法を２０ｍｍ程度となるように設計すれば、３本の電線Ｌを十分収納することができる。
【００４８】
上記構成によれば、施工面Ｓに設ける穴Ｓ１は高だか電線Ｌを引き出すだけのものであるから、施工面Ｓにハウジング１を埋めこみ配設する場合に比べて、施工面Ｓに設ける穴Ｓ１が小さくて済み、従って穴Ｓ１を閉塞するハウジング１の位置の自由度が高くなるから、取付位置を容易に微調整することができる。また、本実施形態における電線Ｌを引き出すための穴Ｓ１はホールソーのような工具を用いて用意に設けることができ、穴Ｓ１の形を整える作業も必要ない。
【００４９】
ここで、施工ねじ挿通穴２２の位置はＪＩＳ  Ｃ８３７５に規定された大角形連用配線器具の取付枠のボックス取付部のねじ穴の位置に合わせてある。従って、施工ねじ挿通穴２２はねじ挿通穴としても機能し、本実施形態は、図８に示すように埋めこみ配線用のボックスＳ２にも取り付けることができる。また、施工ねじ挿通穴２２の左右両側には、施工面Ｓがパネル材で形成されているときに、取付枠２との間でパネル材を挟み込むための挟み金具（図示せず）を引掛係止する挟み金具取付部としての左右一対の引掛穴２４が貫設されている。従って、本実施形態は挟み金具を用いて取り付けることもできる。
【００５０】
なお、カバー１６はハウジング１に対してスライドする構成としたが、図９に示すように施工面Ｓから露出したハウジング１を略覆う形状にカバー１６を形成してもよい。具体的に説明すると、ボディ５の枠状部５１の左右の側面にはそれぞれ係合突起５ａを突設する。カバー１６は弾性を有する材料で形成し、ハウジング１と同程度の大きさの図示しない凹部を後面に設ける。凹部の内面には係合突起５２ａに係合する図示しない係合凹部を設ける。カバー１６をハウジング１に装着するには、ハウジング１にカバー１６を被せた状態で、施工面Ｓに近付く方向の力をカバー１６に加える。カバー１６をハウジング１から取り外すには、カバー１６とハウジング１との間に治具を差し込んでこじることにより係合突起５２ａと係合凹部との係合を解除する。カバー１６がハウジング１に結合した状態では、ハウジング１の施工面Ｓから露出した部位はセンサブロック６のレンズ部６３ａを除いて略全体がカバー１６に覆われる。ここで、カバー１６をハウジング１に対して上側からスライドさせて装着する場合にはカバー１６はハウジング１の下側を覆うことができない。一方、上記構成によれば、ハウジング１の前面のみならず施工面Ｓの法線方向から見たハウジング１の全周をもカバー１６によって覆うことができる。カバー１６はハウジング１よりもデザインに対する制約が少ないから、ハウジング１がより広い面積に亙ってカバー１６に覆われることにより、ハウジング１とカバー１６とを結合した状態のデザインの自由度が高くなる。
【００５１】
または、図１０に示すようにつまみＶ１と操作ハンドルＳＷ１とを露出させる位置と覆う位置との間でカバー１６を回転自在としてもよい。具体的には、図１１に示すように、カバー１６を、つまみＶ１と操作ハンドルＳＷ１とを覆う程度の大きさの板状の蓋部１６ａと、蓋部１６ａの左右の端から上方にそれぞれ延設されたアーム部１６ｂとを有する形状とする。各アーム部１６ｂの先部には、他方のアーム部１６ｂに近づく方向に突出した軸凸部１６ｃを突設する。ボディ５の突台部５２の左右両側面には、それぞれ軸受け凹部５ｂを儲ける。各軸凸部１６ｃをそれぞれ軸受け凹部５ｂに挿入することによって、カバー１６をハウジング１に対して２個の軸凸部１６ｃを結ぶ直線を軸として回転可能とする。ここで、カバー１６を着脱する場合は、カバー１６を取り外している間にカバー１６を紛失又は破損しやすい。一方上記構成によれば、カバー１６をハウジング１から取り外す必要がないから、カバー１６を紛失するおそれがなく、また破損しにくい。
【００５２】
【発明の効果】
請求項１の発明は、人体から放射される熱線を検知する熱線センサと、熱線センサの出力に応じて電源から負荷への電源供給をオンオフする制御手段と、熱線センサと制御手段とが収納されたハウジングと、施工面に固定されて前面にハウジングが取り付けられる取付枠と、ハウジングと施工面との間に介装される防水部材とを備えるので、ハウジングの一部を埋めこむ穴を施工面に設ける必要がなく、施工面には高だか電線を引き出す程度の穴を設けるだけでよい。従って、ハウジングを埋めこみ配設する場合に比べ、施工面に穴を設ける作業が軽減される上に、施工面に設けた穴を閉塞するようなハウジングの取付位置の自由度が高くなるから、取付位置を容易に微調整することができる。
【００５３】
請求項２の発明は、請求項１の発明において、取付枠には、埋めこみ配線用のボックスに取り付けるための取り付けねじが挿通されるねじ挿通穴が貫設されているので、埋めこみ配線用ボックスにも取り付けることができる。
【００５４】
請求項３の発明は、請求項１の発明において、取付枠には、施工面がパネル材で形成されているときにパネル材を取付枠との間で挟み込むための挟み金具が取り付けられる挟み金具取付部が設けられているので、挟み金具を用いた取り付けが可能となる。
【００５５】
請求項４の発明は、請求項１の発明において、取付枠には施工面から引き出された電線を挿通するための電線挿通穴が貫設され、ハウジングの後面であって施工面の法線方向から見て少なくとも電線挿通穴に重なる部位には前方へ窪んだ電線収納凹部が設けられ、電線収納凹部の内側に露出し電線が接続される電線接続端子を備えるので、施工面から引き出され電線接続端子に接続される電線を電線収納凹部に収納することができるから、配線作業が容易になる。
【００５６】
請求項５の発明は、請求項１の発明において、取付枠には施工面から引き出された電線を挿通するための電線挿通穴が貫設され、ハウジングの後面の施工面の法線方向から見て電線挿通穴に重なる部位よりも上側に露出し電線が接続される電線接続端子を備えるので、電線は電線挿通穴よりも高い位置において電線接続端子に接続されるから、電線を伝った水がハウジングの内部に浸入することを防ぐことができる。
【００５７】
請求項６の発明は、請求項１の発明において、ハウジングから露出して手動で操作され制御手段の動作を調整するための調整部を有する調整素子が実装された調整回路基板と、電線が接続される電線接続端子が実装された端子回路基板とを備え、調整回路基板は実装面を前側へ向け、端子回路基板は実装面を後側へ向けて、調整素子と電線接続端子とが施工面に沿った方向に並ぶようにそれぞれ配置されているので、それぞれ比較的に背の高い部品である調整素子と電線接続端子とが施工面からの距離が互いに同程度である位置に配置されることになるから、調整回路基板の実装面と端子回路基板の実装面とを同じ方向に向ける場合に比べて施工面からのハウジングの突出寸法を小さくすることができる。また、電線接続端子をハウジングの後面に露出させるとともに調整部をハウジングの前面に露出させることができる。
【００５８】
請求項７の発明は、請求項１の発明において、ハウジングから露出して手動で操作され制御手段の動作を調整するための調整部を有する調整素子と、ハウジングに結合し調整部を覆う位置とハウジングから分離可能な位置との間でスライド可能なカバーとを備えるので、工具を用いることなくカバーを着脱することができる。従って、カバーの着脱用の工具によってハウジングやカバーを傷つけるおそれがない。
【００５９】
請求項８の発明は、請求項１の発明において、ハウジングから露出して手動で操作され制御手段の動作を調整するための調整部を有する調整素子と、ハウジングに着脱自在に結合し施工面に露出するハウジングの略全体を覆うカバーとを備えるので、カバーが調整部のみを覆う場合に比べ、ハウジングとカバーとを結合した状態のデザインの自由度が高くなる。
【００６０】
請求項９の発明は、請求項１の発明において、ハウジングから露出して手動で操作され制御手段の動作を調整するための調整部を有する調整素子と、ハウジングに結合し調整部を覆う位置と調整部を露出させる位置との間でハウジングに対して回動自在としたカバーとを備えるので、カバーをハウジングから取り外さずに調整部を露出させることができるから、カバーを紛失するおそれがなく、その上カバーを破損しにくくなる。
【００６１】
請求項１０の発明は、請求項１の発明において、手動で操作され制御手段の動作を調整するための調整部を有する調整素子が実装された調整回路基板と、電線が接続される電線接続端子が実装された端子回路基板とを備え、ハウジングは、熱線センサが納装されたセンサブロックと、センサブロック及び調整回路基板並びに端子回路基板がそれぞれ結合したベースと、ベースに結合して調整回路基板及び端子回路基板を覆うボディとを有するので、センサブロックと調整回路基板と端子回路基板とがボディとベースとに分けて結合される場合に比べて組み立てが容易であり、製造コストを低減することができる。
【図面の簡単な説明】
【図１】本発明の実施形態１の使用法を示す斜視図である。
【図２】同上のハウジングを示す分解斜視図である。
【図３】同上におけるセンサブロックを示す分解斜視図である。
【図４】同上を途中まで組み立てた状態を示す断面図である。
【図５】同上においてハウジングに防水部材を装着したものの背面図である。
【図６】同上に用いられる防水部材を示す斜視図である。
【図７】同上の断面図である。
【図８】同上の別の使用法を示す斜視図である。
【図９】同上の別の形態を示す分解斜視図である。
【図１０】同上の更に別の形態を示す斜視図である。
【図１１】同上の更に別の形態を示す分解斜視図である。
【図１２】従来例を示す図であり、（ａ）は正面図、（ｂ）は側面図である。
【符号の説明】
１  ハウジング
２  取付枠
３  防水部材
４  ベース
５  ボディ
６  センサブロック
９  調整回路基板
１０  端子回路基板
１１  端子ブロック
１６  カバー
２１  電線挿通穴
２２  施工ねじ挿通穴
２４  引掛穴
Ｌ  電線
Ｓ  施工面
ＳＷ  切り換えスイッチ
ＳＷ１  操作ハンドル
Ｖ  可変抵抗器
Ｖ１  つまみ
【図１】
2004259563.tif 000003
【図２】
2004259563.tif 000004
【図３】
2004259563.tif 000005
【図４】
2004259563.tif 000006
【図５】
2004259563.tif 000007
【図６】
2004259563.tif 000008
【図７】
2004259563.tif 000009
【図８】
2004259563.tif 000010
【図９】
2004259563.tif 000011
【図１０】
2004259563.tif 000012
【図１１】
2004259563.tif 000013
【図１２】
2004259563.tif 000014